(57)【要約】      （修正有）【課題】活魚の鮮度、肉質を良くし、保つため、一気にナイフで刺し絞め、血液や神経を抜き取るのを容易にする装置を提供する。【解決手段】処理する活魚のナイフで刺し切りする側を魚スライド受け曲げ板に向けて添わせ挿入することにより、活魚の自重により魚押さえ板が閉まり初回に活魚の大きさに魚大きさ調整器で合わせ活魚の首を曲げ全身を押さえ、逆立状態で全身が固定されシリンダー圧力駆動ナイフカッター、又手動駆動ナイフカッターで首脊髄、鰓等を刺し切り絞め同時に尾切り包丁で尾脊髄を切り鋼棒又エアーノズルで脊髄の中の神経弓門及び血道弓門を刺し圧力をかけ、血液及び神経を押し抜くことを特徴とする。【選択図】図４
2008212050.tif 000002
【特許請求の範囲】
【請求項１】
１．活魚の絞め、尾切り、血管及び神経抜きを連続的に行う手段として始めに活魚の大きさに合わせ調整する図1−a．４．魚大きさ調整器を設け調整し１．活魚を添わせ頭より挿入するため２．魚スライド受け曲げ板を儲け、１．活魚が入ったら１．活魚の自重で自動的に図２−a−bの様に１．活魚の首が横に曲がり尾が出た状態で全身を固定されるよう、自動で可動し押さえ曲げする３．魚押さえ板と２．魚スライド受け曲げ板の型状と動かす手段。
【請求項２】
請求項１の手段を図２−cの様に２．魚スライド受け曲げ板と３．魚押さえ板を処理する活魚にあわせた固定したケース状にし活魚を上から入れ処理が済んだら上に取り出す手段。
【請求項３】
請求項１の手段を図２-cのように２．魚スライド板と３．魚押さえ板を一定の寸法で設けた固定したケース状にし魚の大きさに合わせ調整出来る様１３．魚大きさ、ケース調整器を設け調整出来る様にする手段。
【請求項４】
請求項１、請求項２両方の処理機手段に加え１０．魚曲げ出し開閉板システムを取り付けることで活魚処理済み後下に落とし取り出しやすくする手段。
【請求項５】
本発明図１−２−３。a−b−cの処理ケース型状すべてに５．シリンダー圧力駆動ナイフカッター、又６．手動駆動ナイフカッターのどちらか選択し組み付ける事で、一気に、活魚絞め、血液神経を抜く加工処理を出来る様にする手段。
【請求項６】
首を切り取った活魚の、種類に合わせた異形状の筒の下に１７．血液神経抜き穴付き活魚止め出し開閉板システムを付け尾の方から８．鋼棒及びエアーノズルで処理するか、首を切った方から１４．活魚受け真空シールが付いている１５．血液神経真空吸出しシステムで吸取る加工処理手段。
【請求項７】
請求項２の処理手段に１８．エアー拡張シールド又はゴム質固定シールドを付け活魚の身体より頭にかけて密閉させ１５．血液神経真空吸出しシステムで血液神経を吸いだす手段。
【請求項８】
図９．活魚横寝せ血液神経吸出しシステム処理法の様に横に寝ている１．活魚の身体に１８．エアー拡張シールド又はゴム質固定シールドが付いている２２．真空ケースで頭の方よりシールし密閉し１５．血液神経真空吸出しシステムで吸い取る手段
【請求項９】
短時間に大量の活魚の処理を容易にするため図４活魚処理機回転ラックにA．活魚処理機を複数組み付回しながら、連続的に加工処理する手段。
【請求項１０】
一連の本発明の活魚加工処理機を（図５）高速回転遠心力式ラックに組み付け（図６）固定式処理ケース高速回転遠心力処理機を高速で回転させ遠心力重力で血液神経を抜く手段
【請求項１１】
本発明の全容である１．活魚の加工法として１．活魚の頭を下に向け入れ逆立ち状態で首を横に曲げ、首の伸びた側の方向よりナイフカッターで首脊髄鰓を刺し切り絞め首脊髄の切れた部分が開く状態で（別置の絞め機で刺し切った活魚は切った側を伸びる様に入れる）尾を切り８．鋼棒及びエアーノズルで血液、神経を抜く加工処理手段。
【発明の詳細な説明】
【産業上の利用分野】
【０００１】
活魚の絞め、血液神経抜き加工方法
【従来の技術】
【０００２】
従来の活魚の絞め方は一尾ずつ手で刺すか、活魚絞め機で絞めるかで、締めだけの処理は別置機で加工し、血液神経抜きは魚体を横に寝せ一尾ずつ手で押さえ加工していたため重力又は真空吸引力、及び遠心力重力を利用できず効率よく確実に血液、神経を抜くことが出来なかった。
【発明の開示】
【発明が解決しようとする課題】
【０００３】
活魚の絞め血液神経抜き加工を一つの処理機で効率よく効果的に連続で処理出来、活魚を頭を下に逆立ち状態にし、刺し切り絞めた脊髄を開く様に首を曲げ重力又は真空吸引力及び遠心力重力を利用し血液、神経を効果的に抜き加工する手段。
【課題を解決するための手段】
【０００４】
１．活魚を出し入れ又、血液、神経を抜き加工処理がやりやすい様立形で作り１．活魚を２．魚スライド受け曲げ板と３．魚押さえ板の間に挿入すると１．活魚の自重で首が横に曲がり魚を押さえる様A．活魚処理機の様形状を作り絞め加工をするため２．魚スライド受け板の下に５．シリンダー圧力駆動ナイフカッターか６．手動駆動ナイフカッターを設置し、尾が出た状態で尾脊髄を切り８．鋼棒及びエアーノズルで血液、神経を抜きやすいよう３．魚押さえ板で全身を押さえる構造にし、全ての加工処理が済んだら１０．魚曲げ出し開閉板システムを開いたら魚押さえが解除し１．活魚が下に落ち取り出され１０．魚曲げ出し開閉板を閉めたら処理工程の始めに戻り次の１．活魚の加工処理へと繰り返すことの出来る手段。又、別の処理機で首を切りとった活魚の血液神経を抜くのに１６．活魚首なし専用処理ケースでも同様の処理が出来、又切った首の所に１４．活魚受けシール材を設け当てシーリングし、又身体に１８．エアー拡張シールド又はゴム質固定シールドを設け血液神経を１５．血液神経真空吸出しシステムで吸い出す手段及び、処理機を回転ラックに組み付け高速回転で回し遠心力の重力を使い血液神経を抜き取る手段。
【作用】
【０００５】
１．活魚の絞め血液神経がきれいに効率よく確実に抜くことが出来るので鮮度肉質を良くし、保つことが出来る。
【発明を実施するための最良の形態】
【０００６】
１．活魚のナイフ等で処理する側を向け（処理済活魚は処理した側を向け）添わせ入れする２．魚スライド受け曲げ板。活魚が入りその自重で、閉まり活魚の首を押さえ曲げ固定する３．魚押さえ板。魚の大きさに合わせ調整する４．魚大きさ調整器、押さえ曲げ固定された活魚を絞め処理をする５．シリンダー圧力駆動ナイフカッター。及び６．手動駆動ナイフカッター。押さえている１．活魚の尾脊髄を切る７．尾切り包丁。血液、神経を抜き取るための８．鋼棒及びエアーノズル。絞め処理時出る血液、神経を出し易くする９．排出溝。活魚処理完了後下に取り出すため開ける１０．魚曲げ出し開閉板システム。１．活魚が出たら始めの工程に戻り活魚を入れるためため１１．魚押さえ板引き開け用スプリングで構成される、駆動型処理機である。又、形状構造を簡素化した１２．固定ケース型活魚絞め処理ケース又、１６．活魚首なし専用処理ケースでも処理出来、短時間で大量の活魚を、確実に処理するため複数の処理機を組み付け回転させ処理できる図４回転活魚絞め機ラックであり。活魚絞め処理状況に合わせて組み合わせが出来る構成も特徴といえ、又図５．高速回転遠心力式ラックに処理機を組み付け、又図６．処理ケース固定式高速回転遠心力処理機を回転させ、遠心力重力を利用し、一連の加工処理を出来る構成も特徴といえる。
【０００７】
血液神経を抜き取る手段として１４．活魚受けシール１８．エアー拡張シールド又はゴム質固定シールド等を処理機手段に合わせ組み合わせ１．活魚にシールドをし１５．血液神経真空吸い出しシステムで気圧を下げ抜きとることが出来、活魚の大小及び種類に合わせ、形状、大きさ、固定式、移動式等組み合わせ出来る手段構成が特徴といえる。
【図面の簡単な説明】
【０００８】
【図１−２−３−ａ】開閉式シリンダー圧力駆動ナイフカッター方式活魚絞め血液神経抜き処理機
【図１−２−３−ｂ】開閉式手動駆動ナイフカッター方式活魚絞め血液神経抜き処理機
【図１−２−３−ｃ】ケース式活魚絞め血液神経抜き処理機（シリンダー圧力駆動ナイフカッター及び手動駆動ナイフカッター取付可能）
【図１−２−３】図１〜活魚投入前。図２〜活魚入曲げ固定絞め血液神経抜き処理。図３〜開放取り出し。
【図４】活魚処理機回転ラック
【図５】高速回転遠心力式ラック
【図６】固定式処理ケース高速回転遠心力処理機
【図７】活魚首なし専用処理ケース使用法
【図８】首曲げケース式血液神経吸出しシステム
【図９】活魚横寝せ血液神経吸出しシステム
【符号の説明】
【０００９】
１．活魚
２．魚スライド受け曲げ板
３．魚押さえ板
４．魚大きさ調整器
５．シリンダー圧力駆動ナイフカッター
６．手動駆動ナイフカッター
７．尾切り包丁
８．鋼棒及びエアーノズル
９．排出溝
１０．魚曲げ出し開閉板システム
１１．魚押さえ板引開け用スプリング
１２．固定ケース型活魚絞め処理ケース
１３．魚大きさケース調整器
１４．活魚受け真空シール材
１５．血液神経真空吸出しシステム
１５−A．活魚重力弁システム
１５−B．真空ポンプタンクシステム
１６．活魚首なし専用処理システム
１７．血液神経抜き穴付き活魚止め出し開閉板システム
１８．エアー拡張シールド又はゴム質固定シールド
１９．尾押さえ開閉板
２０．頭受け止め枕
２１．頭受け止め枕調整ハンドル
２２．真空ケース
A．活魚処理機（活魚絞め血液神経抜き処理機）
【図１】
2008212050.tif 000003
【図２】
2008212050.tif 000004
【図３】
2008212050.tif 000005
【図４】
2008212050.tif 000006
【図５】
2008212050.tif 000007
【図６】
2008212050.tif 000008
【図７】
2008212050.tif 000009
【図８】
2008212050.tif 000010
【図９】
2008212050.tif 000011